(57)【要約】  分割くさび体（６）は，湾曲内面（６ａ）を有しており，先端部から末端部にかけて次第に肉厚に形成され，ＣＦＲＰケーブル（１）の外周面に被せられることで上記ＣＦＲＰケーブル（１）の外周面を所定長にわたって包囲する。上記複数の分割くさび体（６）が上記ＣＦＲＰケーブル（１）の外周面に配置されたときに対向する端面（30Ｌ，30Ｒ）の間に長手方向にのびる隙間（Ｇ）が確保される。上記隙間（Ｇ）が，上記分割くさび体（６）によって包囲されるＣＦＲＰケーブル（１）の谷部（１ｂ）に沿う傾斜部分を有している。
2018167849.tif 000002
【特許請求の範囲】
【請求項１】
先端部から末端部にかけて次第に肉厚に形成され，撚り線の外周面に被せられることで上記撚り線の外周面を所定長にわたって包囲する，湾曲内面を有する複数の分割くさび体を備え，
上記複数の分割くさび体が上記撚り線の外周面に配置されたときに対向する端面の間に確保される隙間が，上記分割くさび体によって包囲される上記撚り線の谷部に沿う谷部追従隙間部分を有していることを特徴とする，
撚り線くさび。
【請求項２】
上記対向端面の間に確保される隙間が，上記撚り線の谷部に沿う谷部追従隙間部分と，上記撚り線の谷部に沿わない谷部非追従隙間部分とを含み，上記谷部追従隙間部分が，上記谷部非追従隙間部分を間に挟んで長手方向に複数形成されている，
請求項１に記載の撚り線くさび。
【請求項３】
上記谷部追従隙間部分の長さが，上記谷部非追従隙間部分の長さよりも長い，
請求項２に記載の撚り線くさび。
【請求項４】
上記谷部追従隙間部分の向きと上記谷部非追従隙間部分の向きとは７５°〜１２０°の範囲内で交差している，
請求項２に記載の撚り線くさび。
【請求項５】
上記湾曲内面に，上記撚り線を構成する素線に沿って形成され，かつ上記撚り線を構成する素線の直径に適合する大きさの複数の溝が形成されている，
請求項１から４のいずれか一項に記載の撚り線くさび。
【請求項６】
複数の分割くさび体のそれぞれに，位置合わせするための係合部が形成されている，
請求項１から５のいずれか一項に記載の撚り線くさび。
【請求項７】
先端部から末端部にかけて次第に肉厚に形成され，撚り線に接する湾曲内面を有しており，長手方向に隙間をあけた状態で撚り線の周囲に並べられることで上記撚り線の外周面を所定長にわたって包囲する撚り線くさびであって，
上記隙間を形成する，一の撚り線くさびの上記湾曲内面の両側の側壁部の端面と，上記一の撚り線くさびに隣り合う他の撚り線くさびの湾曲内面の両側の側壁部の端面に，包囲される上記撚り線の谷部に沿う傾斜が形成されている，
撚り線くさび。
【請求項８】
上記両側壁部の端面が，上記撚り線の谷部に沿う緩傾斜面と，上記撚り線の谷部に沿わない急傾斜面とを含み，上記緩傾斜面が，上記急傾斜面を間に挟んで長手方向に複数形成されている，
請求項７に記載の撚り線くさび。
【請求項９】
上記緩傾斜面の長さが，上記急傾斜面の長さよりも長い，
請求項８に記載の撚り線くさび。
【請求項１０】
上記緩傾斜面の向きと上記急傾斜面の向きとは７５°〜１２０°の範囲内で交差している，
請求項８に記載の撚り線くさび。
【発明の詳細な説明】
【技術分野】
【０００１】
この発明は，撚り線くさびに関する。
【背景技術】
【０００２】
プレテンション方式またはポストテンション方式によってコンクリートに圧縮応力を与えたプレストレストコンクリートが知られている。プレストレストコンクリートは圧縮のみならず引張にも強く，土木分野，建築分野または橋梁分野において広く採用されている。【０００３】
プレストレストコンクリートに与えられる圧縮応力には，コンクリート内に埋め込まれる緊張材に与えられる緊張力の反力が利用される。緊張材を緊張するためには緊張材の末端部分を安定かつ強固に把持する必要があり，その把持を実現する端末部材を緊張材の末端部分にしっかりと定着（固定）する必要がある。【０００４】
特許文献１はロープを内筒によって保持し，内筒を外筒によって締め付けるロープ装着具を開示する。
【先行技術文献】
【特許文献】
【０００５】
【特許文献１】国際公開ＷＯ２０１５／１２５２２０
【０００６】
内筒は４つの分割区画材から構成され，４つの分割区画材のそれぞれがロープに接する湾曲面を持つ。４つの分割区画材によってロープが包囲される。隣り合う分割区画材の間には長手方向に隙間が形成される。【０００７】
４つの分割区画材を組み合わせることによって構成される内筒の外形は円錐台形状である。外筒は内筒の外形に沿う内面を持つ。ロープに作用する緊張力によって外筒に内筒が入り込んでいき，これによってロープに内筒および外筒（すなわち，ロープ装着具）が定着される。【０００８】
緊張力がロープに加えられ続けると内筒が外筒に次第に深く入り込んでいき，隣り合う分割区画材の間の隙間が徐々に狭くなる。分割区画材の隙間が狭くなることでロープは周囲から強い力で締め付けられる。【０００９】
強い力で周囲から締め付けられると，ロープ（特にその外層線）は隣り合う分割区画材の隙間にはみ出す（入り込む）ように変形または伸びを生じやすい。緊張力が加え続けられることで隣り合う分割区画材の間の隙間がさらに狭くなった場合，ロープの一部が隙間にはみ出していると，はみ出している部分が分割区画材によって噛み込まれて圧潰し，損傷が生じてしまうことがある。ロープの噛み込み損傷は，ロープの強度の低下やロープ装着具の定着性能の低下の要因となる。
【発明の開示】
【００１０】
この発明は，端末部材がくさび止めされる撚り線の損傷を防止すること，特に上述した噛み込み損傷を防止することを目的とする。
【００１１】
この発明による撚り線くさびは，先端部から末端部にかけて次第に肉厚に形成され，撚り線の外周面に被せられることで上記撚り線の外周面を所定長にわたって包囲する，湾曲内面を有する複数の分割くさび体を備える。上記複数の分割くさび体が上記撚り線の外周面に配置されたときに対向する端面の間に確保される隙間が，上記分割くさび体によって包囲される撚り線の谷部に沿う部分を有していることを特徴とする。
【００１２】
撚り線は複数の素線を撚り合わせることで構成され，その外周面には長手方向にらせん状にのびる谷部が形成される。撚り線くさびは，このような撚り構造を備える撚り線の外周面に被せられる複数の分割くさび体から構成される。分割くさび体は，撚り線くさびを長手方向に２つに割ったもの（２つの半体）でもよいし，３つに割ったもの，４つに割ったものであってもよい。分割くさび体はその内面が湾曲しており，湾曲内面によって撚り線の周方向の一部分が包囲される。複数の分割くさび体を撚り線の周方向に並べて配置することで，分割くさび体の間に確保される隙間を除いて，撚り線の長手方向の一部が複数の分割くさび体によって包囲される。
【００１３】
分割くさび体は，その先端部から末端部にかけて次第に肉厚に形成されているので，複数の分割くさび体を組み合わせることで構成される撚り線くさびは，先端部から末端部にかけて次第に太くなる外形を持つ。撚り線くさびの外形は典型的には概略円錐台形状につくられるが，角錘台形状等その他の形状であってもよい。撚り線くさびは，撚り線くさびの外形と同様の形状の中空を持つスリーブ内に入れられて用いられる。スリーブの中空の内壁によって複数の分割くさび体が周囲から押さえつけられて締め付けられることで，撚り線くさびを介して撚り線にスリーブをしっかりと定着させることができる。
【００１４】
撚り線の外周面を包囲するように配置される複数の分割くさび体の対向する端面同士は接触せず，撚り線くさびには，分割くさび体の数と同数の，長手方向にのびる隙間が確保される。これは，撚り線のさらなる締め付けを許容するためである。隙間を確保しておくことで，撚り線に緊張力が加え続けられることによってたとえ撚り線が減径したとしても，撚り線くさびをスリーブ内に深く入り込ませ，このときに複数の撚り線くさびによって撚り線を周囲からさらに締め付けることができる。撚り線くさびおよび上述したスリーブを，撚り線にしっかりと定着させ続けることができる。上述した隙間は，分割くさび体の湾曲凹面の深さを浅く形成することで確保することができる。
【００１５】
上述したように，撚り線くさびがスリーブ内に深く入り込むと，隣り合う分割くさび体の間（対向する端面間）の隙間は次第に狭くなる。
【００１６】
この発明によると，上記分割くさび体の間の隙間が，上記分割くさび体によって包囲される撚り線の谷部に沿う部分（谷部追従隙間部分）を備えているので，撚り線くさびによって周囲から強い力で撚り線が締め付けられることで撚り線に変形または伸びが生じたとしても，上記撚り線の谷部に沿う隙間部分には変形または伸びを生じた撚り線が入り込みにくい。分割くさび体の間の隙間が狭くなったときにその隙間に撚り線（その外層線）が挟まれて圧潰され，撚り線が損傷することが防止される。撚り線の強度の低下，ならびに撚り線くさびおよびスリーブの定着力の低下を防ぐことができる。
【００１７】
撚り線は，炭素繊維に代表される合成繊維，または複数本の合成繊維を束ねた繊維束を撚り合わせることでつくられる繊維ケーブルまたはロープであってもよい。鋼線または鋼線を撚り合わせたストランドを撚り合わせることでつくられるワイヤケーブルまたはロープであってもよい。
【００１８】
撚り線の谷部は撚り線の長手方向にらせん状にのびるので，撚り線の谷部に沿う谷部追従隙間部分は，撚り線くさびの先端部と末端部を結ぶ方向（撚り線くさびが取り付けられる撚り線の軸方向）から傾斜した角度を持つものとなる。
【００１９】
好ましくは，上記対向端面の間に確保される隙間が，上記撚り線の谷部に沿う谷部追従隙間部分と，上記撚り線の谷部に沿わない谷部非追従隙間部分とを含み，上記谷部追従隙間部分が，谷部非追従隙間部分を間に挟んで，撚り線くさびの長手方向に複数形成されている。分割くさび体を撚り線の周囲に被せやすい形状とすることができる。
【００２０】
一実施態様では，上記谷部追従隙間部分の長さが，上記谷部非追従隙間部分の長さよりも長い。上記撚り線の谷部に沿う谷部追従隙間部分を，比較的長い距離にわたって確保することができる。
【００２１】
他の実施態様では，上記谷部追従隙間部分の向きと上記谷部非追従隙間部分の向きとは７５°〜１２０°の範囲内で交差している。谷部追従隙間部分は撚り線の谷部に沿っているので，撚り線の谷部と一致するまたは少なくとも近似する向きを向いている。谷部追従隙間部分と７５°〜１２０°の範囲内で交差する谷部非追従隙間部分は撚り線の谷部（撚り線を構成する撚り合わされた素線）と異なる向きにのびるものとなる。谷部追従隙間部分と谷部非追従隙間部とが７５°〜１２０°の範囲内で交差するように分割くさび体の端面を設計することで，分割くさび体の端面の特定部分（特に谷部追従隙間部分と谷部非追従隙間部分の境界部分を構成する部分）への応力集中が緩和され，また谷部追従隙間部分を比較的長い距離にわたって確保することができる。さらに谷部非追従隙間部分は素線に対して比較的深い角度（直角に比較的近い角度）で交差することになるので，谷部非追従隙間部分においても撚り線（その外層線）を挟まれにくくすることができる。
【００２２】
好ましい実施態様では，上記湾曲内面に，上記撚り線を構成する素線に沿って形成され，かつ上記撚り線を構成する素線の直径に適合する大きさの複数の溝が形成されている。湾曲内面と撚り線（撚り線を構成する素線）とが広く接触するので，撚り線くさびの定着性能を向上させることができる。また，複数の溝によって湾曲内面において撚り線を拘束することができるので，撚り線くさび内においてたとえば撚り線が回転してしまうことが防止され，分割くさび体の間の上述した隙間（谷部追従隙間部分）を，撚り線の谷部に正確に沿わせることができる。
【００２３】
一実施態様では，複数の分割くさび体のそれぞれに，位置合わせするための係合部が形成されている。係合部は，たとえば一の分割くさび体に形成される凸部と，上記一の分割くさび体に隣り合う他の分割くさび体に形成される，上記凸部が係合する凹部とによって構成することができる。複数の分割くさび体の相対位置（長手方向の相対位置および周方向の相対位置）を固定する（ガイドする）ことができるので，撚り線の周囲に複数の分割くさび体を正しく配置することができる。
【００２４】
撚り線の谷部に沿う上記撚り線くさびの谷部追従隙間部分は，上述したように，複数の分割くさび体を組み合わせたときに対向する端面同士によって形成される。くさびの端面に着目すると，この発明は次のように規定することもできる。
【００２５】
すなわち，この発明による撚り線くさびは，先端部から末端部にかけて次第に肉厚に形成され，撚り線に接する湾曲内面を有しており，長手方向に隙間をあけた状態で撚り線の周囲に並べられることで上記撚り線の外周面を所定長にわたって包囲するものであって，上記隙間を形成する，一の撚り線くさびの上記湾曲内面の両側の側壁部の端面と，上記一の撚り線くさびに隣り合う他の撚り線くさびの湾曲内面の両側の側壁部の端面とに，包囲される上記撚り線の谷部に沿う傾斜が形成されていることを特徴とする。
【図面の簡単な説明】
【００２６】
【図１】炭素繊維強化プラスチック製ケーブルの末端部に固定された端末定着構造を示す。
【図２】端末定着構造の縦断面図である。
【図３】炭素繊維強化プラスチック製ケーブルを２つの分割くさび体によって挟んでいる様子を示す斜視図である。
【図４】２つの分割くさび体と，２つの分割くさび体によって挟まれる炭素繊維強化プラスチック製ケーブルの分解斜視図である。
【図５】炭素繊維強化プラスチック製ケーブルを２つの分割くさび体によって挟んでいる様子を示す側面図である。
【図６】図５のVI−VI線に沿う拡大端面図である。
【図７】図５のVII−VII線に沿う拡大端面図である。
【図８】図５のVIII−VIII線に沿う拡大端面図である。
【図９】他の実施形態を示すもので，２つの分割くさび体と，２つの分割くさび体によって挟まれる炭素繊維強化プラスチック製ケーブルの分解斜視図である。
【発明を実施するための形態】
【００２７】
図１は端末定着構造を炭素繊維強化プラスチック（ＣＦＲＰ）製ケーブル１（炭素繊維複合ケーブル（Carbon Fiber Composite Cable）と呼ぶこともできる）（以下，ＣＦＲＰケーブル１という）の末端部に適用した実施例を示す斜視図である。図２は端末定着構造の縦断面図である。図３は，ＣＦＲＰケーブル１の末端部に２つの分割くさび体を取り付けた様子を示す斜視図であり，図４はその分解斜視図である。図５はＣＦＲＰケーブル１の末端部に２つの分割くさび体を取り付けたときの側面図，図６から図８は図５のVI−VI線，VII−VII線，VIII−VIII線に沿う拡大端面図である。
【００２８】
図１および図６を参照して，ＣＦＲＰケーブル１は，複数本の連続する炭素繊維22にエポキシ樹脂21を含浸させた複合材を材料とする断面円形の７本の炭素繊維強化プラスチック製の炭素繊維束１ａを撚り合わせて１×７構造（１本の炭素繊維束１ａを中心にして，その周囲に６本の炭素繊維束１ａを撚り合わせた構造）としたものである。炭素繊維22に代えて，ガラス繊維，ボロン繊維，アラミド繊維，ポリエチレン繊維，ＰＢＯ（polyp-phenylenebenzobisoxazole）繊維，その他の繊維を用いてもよい。エポキシ樹脂21に代えて，ポリアミドその他の樹脂を用いることもできる。
【００２９】
ＣＦＲＰケーブル１の断面直径はたとえば約15.2mmである。以下，ＣＦＲＰケーブル１を構成する炭素繊維束１ａを素線１ａと呼ぶ。外層の６本の素線１ａはＣＦＲＰケーブル１の長手方向にらせん状にのびており，隣り合う素線１ａの間には，らせん状にのびる谷部１ｂが形成される。図６から図８にはＣＦＲＰケーブル１を構成する外層の６本の素線１ａのそれぞれに，Ａ〜Ｆのアルファベットが示されている。
【００３０】
この実施例の端末定着構造は，ＣＦＲＰケーブル１の末端部に設けられる金属製の撚り線くさび10（２つの分割くさび体６）と，撚り線くさび10がきつく嵌め込まれる金属製のスリーブ５とを備えている。
【００３１】
図１および図２を参照して，スリーブ５は円筒状のもので，末端部付近の外周面にねじ溝５ｂが形成されている。内部の中空５ａは横断面が概略長楕円形でありかつスリーブ５の先端から末端にかけて次第に大きくなるように概略円錐台形状に形成されている。スリーブ５の口の小さい先端開口からスリーブ５の中空５ａ内にＣＦＲＰケーブル１の末端部が挿入され，口の大きい末端開口から外に出される。
【００３２】
外に出されたＣＦＲＰケーブル１の末端部に撚り線くさび10が取り付けられる。撚り線くさび10は，たとえば175mmの全長を持つ２つの細長い分割くさび体６から構成される。２つの分割くさび体６は同一形状および大きさのもので，たとえば鋳型成形によってつくられる。図４を参照して，分割くさび体６の内面には，ＣＦＲＰケーブル１に接する湾曲凹面６ａが長手方向に形成されている。分割くさび体６の肉厚は先細の先端部から反対側の末端部に向かうにしたがって次第に厚くなっており，２つの分割くさび体６を組み合わせると，横断面の外形が概略長楕円形で，かつ先端部から末端部に向けて次第に太くなる。２つの分割くさび体６を組み合わせたときの外形は，スリーブ５の中空５ａの形状とおおよそ一致する。分割くさび体６の材料には，強度，靭性および疲労強度に優れた球状黒鉛鋳鉄，または強度，靭性，疲労強度および防食性に優れたオーステナイト系もしくはマルサイト系のステンレス合金が用いられる。
【００３３】
分割くさび体６の末端部にＯリング（図示略）をかけるための溝７が周方向に形成されており，２つの分割くさび体６を組み合わせることで溝７は環状となる。環状とされた溝７にＯリングをかけることによって，２つの分割くさび体６によってＣＦＲＰケーブル１の末端部を挟んだ状態を簡易に保持することができる。
【００３４】
分割くさび体６の末端部にはまた，湾曲凹面６ａを挟んで左右の両側に，係合凸部８Ａと係合凹部８Ｂとがそれぞれ形成されている。２つの分割くさび体６を組み合わせると，一方の分割くさび体６の係合凸部８Ａが他方の分割くさび体６の係合凹部８Ｂに，他方の分割くさび体６の係合凸部８Ａが一方の分割くさび体６の係合凹部８Ｂに，それぞれ係合する。係合凸部８Ａおよび係合凹部８Ｂによって２つの分割くさび体６の相対位置（長手方向の相対位置および周方向の相対位置）が固定される（ガイドされる）ので，ＣＦＲＰケーブル１を，２つの分割くさび体６によって両側から正確に挟むことができる。
【００３５】
図４を参照して，分割くさび体６の湾曲凹面６ａの先端部分には，口径を広げるテーパー面６ｄが形成されている。口径を広げるテーパー面６ｄを分割くさび体６の湾曲凹面６ａの先端部分に形成しておくことで，分割くさび体６の先端部分におけるＣＦＲＰケーブル１の損傷が防止または軽減される。
【００３６】
図２を参照して，ＣＦＲＰケーブル１を挟んだ分割くさび体６はスリーブ５の口の大きい末端開口からスリーブ５の中空５ａ内に押し込まれる。スリーブ５の中空５ａの内壁によって分割くさび体６が周囲から押さえつけられて締め付けられる。ＣＦＲＰケーブル１の末端部に，２つの分割くさび体６（撚り線くさび10）を介してスリーブ５が定着される（くさび止めされる）。スリーブ５は一般にはＣＦＲＰケーブル１の両末端部に定着されるが，一方の末端部のみに定着させてもよい。末端部に撚り線くさび10を介してスリーブ５を定着させたＣＦＲＰケーブル１は，たとえばプレストレストコンクリートの緊張材として用いることができる。
【００３７】
図４を参照して，上述したように，分割くさび体６はその内面に長手方向にのびる湾曲凹面６ａを有しており，湾曲凹面６ａと反対側が開口する構造を持つ。また，湾曲凹面６ａの左右の両側には，波状の側壁部が形成されている。以下の説明において，一方の側壁部を左側壁部６Ｌと呼び，反対側の他方の側壁部を右側壁部６Ｒと呼ぶ。左右の側壁部６Ｌ，６Ｒの内面も湾曲凹面６ａを構成する。
【００３８】
図４および図６を参照して，分割くさび体６の内面（湾曲凹面６ａ）に，長手方向にらせん状にのびる複数の浅い溝６ｂが形成されている。複数のらせん状の溝６ｂは，分割くさび体６が取り付けられるべきＣＦＲＰケーブル１の表面形状を転写した形状を備えている。上述したように，ＣＦＲＰケーブル１は，１本の断面円形の素線１ａを中心にしてその周囲に６本の断面円形の素線１ａを撚り合わせることによってつくられているので，外層の６本の素線１ａはいずれもＣＦＲＰケーブル１の長手方向にらせん状にのびている。湾曲凹面６ａに形成される複数のらせん状の溝６ｂは，ＣＦＲＰケーブル１を構成するらせん状にのびる素線１ａのそれぞれに沿っており，かつ素線１ａの直径に応じた大きさ（幅）を持つ。らせん状の溝６ｂは上述した左右の側壁部６Ｌ，６Ｒの内面にも形成される。
【００３９】
ＣＦＲＰケーブル１に２つの分割くさび体６を取り付けると，ＣＦＲＰケーブル１の外層を構成する撚り合わされた６本の素線１ａのそれぞれが，湾曲凹面６ａに形成された複数のらせん状溝６ｂのそれぞれに嵌る。さらに，隣り合うらせん状溝６ｂの間に形成されるらせん状にのびる稜線（凸条）６ｃ（図６参照）が，素線１ａ間のらせん状の谷部１ｂに嵌る。ＣＦＲＰケーブル１の外表面を分割くさび体６の湾曲凹面６ａ（複数のらせん状の溝６ｂおよび複数のらせん状の稜線６ｃ）に広く接触させることができ，これによってＣＦＲＰケーブル１に局所的な力が加わることが防止され，かつ分割くさび体６によるＣＦＲＰケーブル１の把持力が向上する。
【００４０】
また，湾曲凹面６ａに形成された複数のらせん状溝６ｂによってＣＦＲＰケーブル１の動きが拘束される。このため，分割くさび体６内においてＣＦＲＰケーブル１が長手方向に移動したり，回転したりすることが防止され，分割くさび体６内におけるＣＦＲＰケーブル１の姿勢を一定に保つことができる。
【００４１】
図４を参照して，分割くさび体６の左右の側壁部６Ｌ，６Ｒは，いずれも分割くさび体６の肉厚によって規定される端面30Ｌ，30Ｒを備える。端面30Ｌ，30Ｒは，長手方向において高低に滑らかに推移しており，分割くさび体６を側方から見ると（図３，図５参照），長手方向に山部と谷部とが交互に形成されていると見ることができる。
【００４２】
図４を参照して詳細に説明すると，左側壁部６Ｌには，分割くさび体６の先端部から末端部に向けて，３つの山部51Ｌ，山部52Ｌ，山部53Ｌがこの順番に形成されている。他方，右側壁部６Ｒには，分割くさび体６の先端部から末端部に向けて，３つの山部51Ｒ，山部52Ｒ，山部53Ｒがこの順番に形成されている。なお，左右の両側壁部６Ｌ，６Ｒのそれぞれの３つの山部51Ｌ〜53Ｌ，51Ｒ〜53Ｒは，分割くさび体６の先端部から末端部に向かうにしたがって次第にその高さが高くなっている。
【００４３】
図４および図５を参照して，両側壁部６Ｌ，６Ｒの端面30Ｌ，30Ｒに着目して説明すると，勾配（傾き）が小さく比較的長い距離にわたってのびる緩傾斜面31Ｌ，31Ｒと，勾配が大きく比較的距離の短い急傾斜面32Ｌ，32Ｒとによって山部51Ｌ，52Ｌ，53Ｌ，51Ｒ，52Ｒ，53Ｒが形付けられている。緩傾斜面31Ｌ，31Ｒと急傾斜面32Ｌ，32Ｒとはおおよそ直交しており，このため山部51Ｌ，52Ｌ，53Ｌ，51Ｒ，52Ｒ，53Ｒは，緩傾斜面31Ｌ，31Ｒと急傾斜面32Ｌ，32Ｒの境界を頂部とする，おおよそ直角三角形の形状を持つ。左側壁部６Ｌの３つの山部51Ｌ，52Ｌ，53Ｌと，右側壁部６Ｒの３つの山部51Ｒ，52Ｒ，53Ｒとは，左右対称な位置に形成されているが，左側壁部６Ｌの緩傾斜面31Ｌは分割くさび体６の先端部から末端部に向かう方向に上っている（側壁部の高さが次第に高くなる）のに対し，右側壁部６Ｒの緩傾斜面31Ｒは，分割くさび体６の先端部から末端部に向かう方向に下っている（側壁部の高さが次第に低くなる）点が異なる。
【００４４】
図５を参照して，緩傾斜面31Ｌ，31Ｒの傾斜角度は，ＣＦＲＰケーブル１の撚り角度（ＣＦＲＰケーブル１を構成する６本の外層の素線１ａの撚り角度，素線１ａ間に形成される谷部１ｂの撚り角度）に合わせて設計されている。図５において，素線１ａ（谷部１ｂ）の撚り角度をθ１によって，緩傾斜面31Ｌ，31Ｒの傾斜角度（より厳密には，後述する緩傾斜面31Ｌ，31Ｒの内側縁部11の傾斜角度）をθ２によって，それぞれ示す。素線１ａ（谷部１ｂ）の撚り角度θ１に緩傾斜面31Ｌ，31Ｒの傾斜角度θ２を合わせることで，左右の側壁部６Ｌ，６Ｒの内面（上述した山部の内面に形成された溝６ｂ）にＣＦＲＰケーブル１（素線１ａ）を比較的長い距離にわたって連続して沿わせることができ，ＣＦＲＰケーブル１に分割くさび体６を安定して定着させることができる。
【００４５】
図６から図８を参照して，緩傾斜面31Ｌ，31Ｒは，側壁部６Ｌ，６Ｒの高さ位置に応じてねじれるように形成されている。すなわち，低い位置にあるときの緩傾斜面31Ｌ，31Ｒはその外側縁部（外側稜線）よりも内側縁部（内側稜線）11の方が高い位置にあり（図６，図８），高い位置にあるときの緩傾斜面31Ｌ，31Ｒでは，外側縁部が内側縁部11よりも高い位置となる（図６，図８）。中間位置（図７）では，緩傾斜面31Ｌ，31Ｒの外側縁部と内側縁部11とはほぼ同じ高さ位置である。緩傾斜面31Ｌ，31Ｒをねじれるように形成することによって，２つの分割くさび体６を組み合わせたときに形成される隙間Ｇを，緩傾斜面31Ｌ，31Ｒの全幅にわたってほぼ等間隔に確保することができる。
【００４６】
図５を参照して，２つの分割くさび体６を組み合わせることで，一方の分割くさび体６の左側壁部６Ｌの端面30Ｌと，他方の分割くさび体６の右側壁部６Ｒの端面30Ｒとが対向し，かつ一方の分割くさび体６の右側壁部６Ｒの端面30Ｒと，他方の分割くさび体６の左側壁部６Ｌの端面30Ｌとが対向する。一方の分割くさび体６の山部が他方のくさび６の谷部に隙間Ｇを隔てて対向し，逆に一方の分割くさび体６の谷部が他方の分割くさび体６の山部に隙間Ｇを隔てて対向する。
【００４７】
図５および図６から図８を参照して，ＣＦＲＰケーブル１を挟んで２つの分割くさび体６を組み合わせたとき，２つの分割くさび体６の両側壁部６Ｌ，６Ｒの端面30Ｌ，30Ｒ同士は接触せず，分割くさび体６の両側には長手方向にのびる隙間Ｇが形成される。上述したように，両側壁部６Ｌ，６Ｒの端面30Ｌ，30Ｒは長手方向に向けて高低に滑らかに推移しているので，隙間Ｇは側方から見て長手方向に波状にのびるように見える。隙間Ｇは，分割くさび体６の湾曲凹面６ａの深さをＣＦＲＰケーブル１の断面半径よりも浅くすることで確保することができる。
【００４８】
分割くさび体６がスリーブ５内に押し込まれた状態においても，２つの分割くさび体６の両側の隙間Ｇは確保される（図２参照）。たとえば，分割くさび体６がスリーブ５内に押し込まれたときに０．５mm〜２mm程度の隙間Ｇが確保されるように，上述した湾曲凹面６ａの深さは調整される。隙間Ｇを確保しておくことによって，ＣＦＲＰケーブル１に緊張力が加えられ続けることで分割くさび体６がスリーブ５内に次第に深く入り込んでも，または長期間使用し続けることでＣＦＲＰケーブル１が減径しても，２つの分割くさび体６によってＣＦＲＰケーブル１を周囲からしっかりと締め付けることができ，２つの分割くさび体６およびスリーブ５を，ＣＦＲＰケーブル１の末端部に安定して定着させ続けることができる。
【００４９】
図５および図６から図８を参照して，上述したように，緩傾斜面31Ｌ，31ＲはＣＦＲＰケーブル１を構成する素線１ａ（谷部１ｂ）の撚り角度θ１に沿う角度を持つように形成されており，さらに，撚り合わされた素線１ａ間に形成されるＣＦＲＰケーブル１の表面のらせん状の谷部１ｂに緩傾斜面31Ｌ，31Ｒの間の隙間Ｇが沿っている。すなわち，緩傾斜面31Ｌ，31Ｒによって形成される隙間ＧはＣＦＲＰケーブル１の谷部１ｂに追従している（図６から図８）。このため，ＣＦＲＰケーブル１に緊張力が加えられ続けることで２つの分割くさび体６の間の隙間Ｇが狭くなったとしても，２つの分割くさび体６の隙間Ｇに素線１ａが入り込みにくく，素線１ａが２つの分割くさび体６（緩傾斜面31Ｌ，31Ｒ）の間に噛み込まれ（挟まれ）にくい（すなわち，分割くさび体６によってつぶされにくい）。分割くさび体６によるＣＦＲＰケーブル１の噛み込み損傷を効果的に防止することができる。これは，ＣＦＲＰケーブル１の強度の低下，ならびに分割くさび体６およびスリーブ５の定着性能の低下の防止も意味する。
【００５０】
ＣＦＲＰケーブル１の表面のらせん状の谷部１ｂに緩傾斜面31Ｌ，31Ｒの間の隙間Ｇが沿うことになるように，上述した分割くさび体６の湾曲凹面６ａに形成されるらせん状の溝６ｂ（図４および図６から図８参照）があらかじめ形成されるのは言うまでもない。また，上述したように，らせん状の溝６ｂによって分割くさび体６の湾曲凹面６ａには常に一定の姿勢によってＣＦＲＰケーブル１が配置される。らせん状の溝６ｂにＣＦＲＰケーブル１（素線１ａ）が嵌るように２つの分割くさび体６を配置することで，ＣＦＲＰケーブル１の表面のらせん状の谷部１ｂに緩傾斜面31Ｌ，31Ｒの間の隙間Ｇが沿うことになる。２つの分割くさび体６を注意深く位置決めする必要がないので，工事現場等における端末定着構造の作成作業（分割くさび体６およびスリーブ５の定着作業）がやりやすい。
【００５１】
緩傾斜面31Ｌ，31Ｒによって形成される隙間Ｇの部分がＣＦＲＰケーブル１のらせん状の谷部１ｂに沿っており（谷部追従隙間部分），他方，急傾斜面32Ｌ，32Ｒによって形成される隙間Ｇの部分はらせん状の谷部１ｂに沿っていない（谷部非追従隙間部分）。しかしながら，急傾斜面32Ｌ，32Ｒによって形成される谷部非追従隙間部分は，緩傾斜面31Ｌ，31Ｒによって形成される谷部追従隙間部分にほぼ直交する向き，すなわちＣＦＲＰケーブル１を構成するらせん状にのびる素線１ａ（谷部１ｂ）にほぼ直交する向きを向いており，また急傾斜面32Ｌ，32Ｒは距離が短いので，急傾斜面32Ｌ，32Ｒによって形成される谷部非追従隙間部分にも素線１ａは入り込みにくく，噛み込み損傷は発生しにくい。
【００５２】
図５を参照して，分割くさび体６の端面30Ｌ，30Ｒ（緩傾斜面31Ｌ，31Ｒおよび急傾斜面32Ｌ，32Ｒ）の構造を詳細に説明しておく。
【００５３】
上述したように，複数（この実施例では７本）の素線１ａを撚り合わせることで構成されるＣＦＲＰケーブル（撚り線）１を把持する撚り線くさび（把持部材）10は，ＣＦＲＰケーブル１を挟むようにして組み合わせることによってＣＦＲＰケーブル１の長手方向の一部を包囲する複数（この実施例では２つ）の分割くさび体６を含む。分割くさび体６のそれぞれはＣＦＲＰケーブル１を挟んで組み合わされたときに隙間Ｇを隔てて対向する端面30Ｌ，30Ｒを含む。対向する端面30Ｌ，30Ｒの間の隙間Ｇから，素線１ａ同士の境界に形成されるらせん状にのびる谷部１ｂの一部が外部から視覚的に確認される。
【００５４】
端面30Ｌ，30Ｒは，緩傾斜面31Ｌ，31Ｒと急傾斜面32Ｌ，32Ｒとを備え，緩傾斜面31Ｌ，31Ｒの内側縁部11が，ＣＦＲＰケーブル１の谷部１ｂの一部とほぼ平行に形成されている。端面30Ｌ，30Ｒは複数（この実施例では３つ）の内側縁部11を備え，複数の内側縁部11同士が，谷部１ｂの一部と非平行に形成された急傾斜面32Ｌ，32Ｒの内側縁部12によって繋がっている。
【００５５】
分割くさび体６は，緩傾斜面31Ｌ，31Ｒの内側縁部11の向きと急傾斜面32Ｌ，32Ｒの内側縁部12の向きとが７５°〜１２０°の範囲（以下，条件（１）という）で交差するように設計されている。条件（１）の下限，すなわち７５°を下回ると，緩傾斜面31Ｌ，31Ｒの内側縁部11と急傾斜面32Ｌ，32Ｒの内側縁部12との境界部が急角度になり応力が集中しやすいことや，急傾斜面32Ｌ，32Ｒの内側縁部12の抜き勾配を確保することが困難となりやすいことから好ましくない。条件（１）の上限，すなわち１２０°を上回ると，端面30Ｌ，30Ｒを占める緩傾斜面31Ｌ，31Ｒの内側縁部11の割合（長さ）が減少しやすいことから好ましくない。
【００５６】
本実施例において，ＣＦＲＰケーブル１を構成する素線１ａは，ＣＦＲＰケーブル１の軸方向１ｃに平行な方向Ｄに対して約７°〜１０°の撚り角度θ１を有しており，素線１ａの間の谷部１ｂも約７°〜１０°の撚り角度θ１を持つ。緩傾斜面31Ｌ，31Ｒの内側縁部11は，上述したようにＣＦＲＰケーブル１の谷部１ｂとほぼ平行に形成されているので，内側縁部11の傾斜角度θ２も約７°〜１０°となっている。緩傾斜面31Ｌ，31Ｒの内側縁部11の向きと急傾斜面32Ｌ，32Ｒの内側縁部12の向きとが交差する角度θ３は約８５°に設計されており，上記条件（１）を満たしている。
【００５７】
この撚り線くさび10によれば，２つの分割くさび体６のそれぞれの端面30Ｌ，30Ｒが，ＣＦＲＰケーブル１の谷部１ｂの一部と平行に形成された内側縁部11を含む緩傾斜面31Ｌ，31Ｒを備えているので，２つの分割くさび体６の対向する緩傾斜面31Ｌ，31Ｒのそれぞれの内側縁部11の間にＣＦＲＰケーブル１の谷部１ｂが位置するようにＣＦＲＰケーブル１に２つの分割くさび体６を取り付けることで，ＣＦＲＰケーブル１を分割くさび体６によって挟んだときに対向する端面30Ｌ，30Ｒの間に設けられる隙間Ｇに，撚り角度θ１の谷部１ｂに沿って追従する部分を設けることができる。このため，撚り線くさび10を介してＣＦＲＰケーブル１が締め付けられ，素線１ａに変形または伸びが生じた場合であっても，変形または伸びが生じた素線１ａが隙間Ｇにはみ出しにくく，ＣＦＲＰケーブル１が端面30Ｌ，30Ｒに挟まれることを抑制できる。したがって，撚り線くさび10がスリーブ５内に深く押し込まれ隙間Ｇが狭まった場合であっても，ＣＦＲＰケーブル１が端面30Ｌ，30Ｒによって挟まれて圧潰されＣＦＲＰケーブル１が損傷することを抑制できる。
【００５８】
さらに，この撚り線くさび10によれば，複数の分割くさび体６のそれぞれの端面30Ｌ，30Ｒが，複数の内側縁部11と，複数の内側縁部11同士を繋ぐように谷部１ｂの一部と非平行に形成された内側縁部12とを含むので，撚り角度θ１の谷部１ｂに沿って追従するように傾斜した隙間Ｇを複数設けることができる。このため，隙間Ｇに位置させるＣＦＲＰケーブル１の谷部１ｂの距離を延長できる。したがって，ＣＦＲＰケーブル１が隙間Ｇに挟まれて損傷することをより一層抑制できる。
【００５９】
さらに，この撚り線くさび10によれば，緩傾斜面31Ｌ，31Ｒの内側縁部11は急傾斜面32Ｌ，32Ｒの内側縁部12よりも長く，内側縁部11の向きと内側縁部12の向きとは７５°〜１２０°の範囲内で交差するように設計されている。このため，緩傾斜面31Ｌ，31Ｒの内側縁部11と急傾斜面32Ｌ，32Ｒの内側縁部12との境界部への応力集中が緩和され，撚り角度θ１の谷部１ｂに沿って追従するように傾斜した隙間Ｇの部分の長さを長くすることができる。したがって，ＣＦＲＰケーブル１が隙間Ｇに挟まれて損傷することをより一層抑制できる。
【００６０】
図９は他の実施例の分割くさび体６Ａを示すもので，上述した分割くさび体６とは，末端部に係合凸部８Ａおよび係合凹部８Ｂ（図４参照）が形成されていない点が異なる。上述したように，係合凸部８Ａ，係合凹部８Ｂは，２つの分割くさび体６の相対位置を固定する（ガイドする）ために設けられている。これを備えていないとしても，上述したように分割くさび体６Ａの湾曲凹面６ａにらせん状の溝６ｂが形成されているので，ＣＦＲＰケーブル１を挟んだ２つの分割くさび体６Ａに大きな位置ずれは生じない。もっとも，分割くさび体をＣＦＲＰケーブル１に正確に取り付けるのに要する時間を考慮すると，上述した係合凸部８Ａ，係合凹部８Ｂを形成しておくのが好ましい。
【００６１】
上述した実施例では，２つ割の分割くさび体６，６ＡによってＣＦＲＰケーブル１を包囲する実施形態を説明したが，３つ割，４つ割の分割くさび体によってＣＦＲＰケーブル１を包囲してもよい。また，上述した実施例では，左右の側壁部６Ｌ，６Ｒの対向する端面30Ｌ，30Ｒが，高低差（波形）を有しつつも，分割くさび体６，６Ａの先端部から末端部に向けて真っ直ぐに形成されているが，周方向に湾曲させて形成することもできる。
【符号の説明】
【００６２】
１  ＣＦＲＰケーブル（撚り線）
１ａ  素線
１ｂ  谷部
６，６Ａ  分割くさび体
６ａ  湾曲凹面
６ｂ  らせん溝
６Ｌ，６Ｒ  側壁部
８Ａ  係合凸部
８Ｂ  係合凹部
10  撚り線くさび
11  緩傾斜面の内側縁部
12  急傾斜面の内側縁部
30Ｌ，30Ｒ  端面
31Ｌ，31Ｒ  緩傾斜面
32Ｌ，32Ｒ  急傾斜面
Ｇ  隙間
【図１】
2018167849.tif 000003
【図２】
2018167849.tif 000004
【図３】
2018167849.tif 000005
【図４】
2018167849.tif 000006
【図５】
2018167849.tif 000007
【図６】
2018167849.tif 000008
【図７】
2018167849.tif 000009
【図８】
2018167849.tif 000010
【図９】
2018167849.tif 000011
【国際調査報告】
2018167849.tif 000012
2018167849.tif 000013